【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
上面、下面および側面を有するコアであって、前記コアが縦軸と、前記コアの前記上面に沿って縦に延びる第１の複数のスルーホールと、前記第１の複数のスルーホールと離間してこれと概略平行の関係で前記コアの前記上面に沿って縦に延びる第２の複数のスルーホールを規定し、前記第１および第２の複数のスルーホールが、前記コアの前記縦軸から離間して、前記コアの前記縦軸の反対側に位置し、前記第１および第２の複数のスルーホールの各前記スルーホールが前記コアの前記上面に規定される開口部から前記コアの前記下面に規定される開口部まで前記コアを通じて延びる、前記コアと、
前記コアの前記上面から外側に延びる、少なくとも第１、第２および第３のポストと、
前記コア上の金属化領域と非金属化領域の表面層パターンであって、前記パターンが、前記上面に位置し前記第１のポストへ延びる第１の金属化接続領域、前記上面に位置し前記第２のポストへ延びる第２の金属化接続領域および前記上面に位置し前記第３のポストへ延びる第３の金属化接続領域を含む、前記表面層パターンとを有するフィルター。
【請求項２】
前記第１、第２および第３のポストのそれぞれが基板の上面に対して設置されるように適合された上部リムを規定する請求項１に記載のフィルター。
【請求項３】
前記上面から上方に延びる少なくとも第１、第２および第３の壁を更に有し、前記第１、第２および第３のポストが前記第１、第２および第３の壁にそれぞれ規定されるそれぞれのスロットの組の間に形成される請求項１に記載のフィルター。
【請求項４】
上面、下面および側面を有し、第１と第２の組の離間したスルーホールを規定するコアであって、各スルーホールが前記上面に規定される開口部から前記下面に規定される開口部まで前記コアを通じて延びる、前記コアと、
前記上面から外側に延びる、少なくとも第１、第２および第３のポストと、
前記上面から上方に延びる少なくとも前記第１、第２および第３の壁であって、前記第１、第２および第３のポストが前記第１、第２および第３の壁にそれぞれ規定されるそれぞれのスロットの組の間に形成され、前記第１と第２の壁が相互に対向し、前記第３の壁が前記第１と第２の壁を接続する、前記第１、第２および第３の壁と、
前記コア上の金属化領域と非金属化領域の表面層パターンであって、前記パターンが、前記上面に位置し前記第１のポストへ延びる第１の金属化接続領域、前記上面に位置し前記第２のポストへ延びる第２の金属化接続領域および前記上面に位置し前記第３のポストへ延びる第３の金属化接続領域を含む、前記表面層パターンとを有するフィルター。
【請求項５】
上面、下面および側面を有し、第１と第２の組の離間したスルーホールを規定するコアであって、各スルーホールが前記上面に規定される開口部から前記下面に規定される開口部まで前記コアを通じて延びる、前記コアと、
前記上面から外側に延びる、少なくとも第１、第２および第３のポストと、
前記コア上の金属化領域と非金属化領域の表面層パターンであって、前記パターンが、前記上面に位置し前記第１のポストへ延びる第１の金属化接続領域、前記上面に位置し前記第２のポストへ延びる第２の金属化接続領域および前記上面に位置し前記第３のポストへ延びる第３の金属化接続領域を含み、前記コアが相互に結合されて前記第１と第２の組の離間したスルーホールをそれぞれ規定する第１と第２のブロックから成り、前記第１と第２のブロックのそれぞれが少なくとも１つの金属化外面を有し、前記第１と第２のブロックが各前記金属化外面に沿って結合されるときに、少なくとも１つの前記金属化外面が金属化内部層を規定する、前記表面層パターンとを有するフィルター。
【請求項６】
上面、下面および少なくとも１つの側面を有し、前記上面と前記下面に規定される各開口部の間を延びる第１の複数のスルーホールと、前記ブロックの前記上面と前記下面に規定される各開口部の間を延び、前記第１の複数のスルーホールから離間してこれと概略平行の関係にある第２の複数のスルーホールを規定するブロックと、
第１の壁、前記第１の壁に対向する第２の壁および前記第１および第２の壁の間に延びる第３の壁を含む前記ブロックの前記上面から外側に延びる複数の壁と、
前記第１の複数のスルーホールにより規定される前記開口部の領域において前記ブロックの前記上面に規定され、前記上面に規定された第１のアンテナ電極および入力電極を含む金属化および非金属化された第１のパターンであって、前記入力電極が前記第１の壁へ延びる、前記第１のパターンと、前記第２の複数のスルーホールにより規定される前記開口部の領域において前記ブロックの前記上面に規定され、前記上面に規定された前記第１のアンテナ電極から離間した第２のアンテナ電極および出力電極を含む金属化および非金属化された第２のパターンであって、前記出力電極が前記第２の壁へ延びる、前記第２のパターンとを有し、前記上面に規定された前記第１および第２のアンテナ電極がともに前記第３の壁へ延びる、フィルター。
【請求項７】
前記複数の壁と前記上面が協働して前記フィルターにキャビティを規定する請求項６に記載のフィルター。
【請求項８】
前記複数の壁の１つ以上が複数のスロットの組を規定し、前記複数のスロットの組が前記複数のスロットの組の間の少なくとも第１、第２および第３のポストをそれぞれ形成し、前記入力電極、出力電極およびアンテナ電極が前記第１、第２および第３のポストへそれぞれ延びる請求項６に記載のフィルター。
【請求項９】
前記少なくとも第１、第２および第３のポストを形成する前記複数のスロットの組が、前記第１、第２および第３の壁にそれぞれ規定される請求項８に記載のフィルタ。
【請求項１０】
上面、下面および少なくとも１つの側面を有し、前記上面と前記下面に規定される各開口部の間を延びる第１の複数のスルーホールと、前記ブロックの前記上面と前記下面に規定される各開口部の間を延び、前記第１の複数のスルーホールから離間してこれと概略平行の関係にある第２の複数のスルーホールを規定するブロックと、
第１の壁、前記第１の壁に対向する第２の壁および前記第１および第２の壁の間に延びる第３の壁を含む前記ブロックの前記上面から外側に延びる複数の壁と、
前記ブロックの前記上面から外側に延び、第１および第２のパターンと前記ブロックの前記上面に規定された前記第１および第２のスルーホールの前記各開口の間に位置してこれらを分離する第４の壁と、
前記第１の複数のスルーホールにより規定される前記開口部の領域において前記ブロックの前記上面に規定され、前記上面に規定された前記第１の壁へ延びる入力電極を含む金属化および非金属化された第１のパターンと、前記第２の複数のスルーホールにより規定される前記開口部の領域において前記ブロックの前記上面に規定され、前記上面に規定された前記第２の壁へ延びる出力電極を含む金属化および非金属化された第２のパターンとを有し、前記金属化および非金属化された第１および第２のパターンのそれぞれが前記上面に規定されたアンテナ電極を含み、ともに前記第３の壁へ延びる、フィルター。
【請求項１１】
上面、下面および少なくとも１つの側面を有し、前記上面と前記下面に規定される各開口部の間を延びる第１および第２のスルーホールの組を規定するブロックと、
前記上面から外側に延びる複数の壁と、
前記上面に規定された前記複数の壁の１番目の１つへ延びる入力電極と、前記上面に規定された前記複数の壁の２番目の１つへ延びる出力電極と、前記上面に規定された前記複数の壁の３番目の１つへ延びるアンテナ電極とを含む前記ブロックの前記上面に規定された金属化および非金属化された第１のパターンと、
前記第１と第２のスルーホールの組を分離する前記ブロックの金属化内壁を有するフィルター。
【請求項１２】
上面、下面および少なくとも１つの側面を有し、前記上面と前記下面に規定される各開口部の間を延びる第１および第２のスルーホールの組を規定するブロックと、
前記上面から外側に延びる複数の壁と、
前記上面に規定された前記複数の壁の１番目の１つへ延びる入力電極と、前記上面に規定された前記複数の壁の２番目の１つへ延びる出力電極と、前記上面に規定された前記複数の壁の３番目の１つへ延びるアンテナ電極とを含む前記ブロックの前記上面に規定された金属化および非金属化されたパターンと、
前記第１と第２のスルーホールの組を分離する前記ブロックの金属化内壁を有し、
前記ブロックが相互に結合された第１と第２の別々のブロックから成り、
前記第１と第２のスルーホールの組が、前記第１と第２の別々のブロックにそれぞれ規定される、フィルター。
【請求項１３】
基板に設置されるように適合したフィルターであって、前記フィルターが、
金属化および非金属化された領域の第１および第２のパターンを有する上面を有し、縦軸を規定する誘電材料のコア、
前記コアの前記縦軸から離間してこれと概略平行の関係で前記コアを通じて延び前記上面の開口部に終端がある第１と第２のスルーホールの組、および
前記上面から外側に、前記コアの前記縦軸と同じ方向に延び、前記コアの前記上面の前記金属化および非金属化された領域の第１および第２のパターンを分離する誘電材料の少なくとも第１の壁を有し、
前記フィルターが、前記コアの前記上面が前記基板に対向してこれと離間する関係で前記基板に設置される、フィルター。
【請求項１４】
前記コアが、前記コアを通じて延びる前記第１と第２のスルーホールの組を分離する金属化内部層を有する請求項１３に記載のフィルター。
【請求項１５】
前記コアが、相互に結合されて、前記第１と第２のスルーホールの組をそれぞれ含む第１および第２の誘電材料のブロックから成り、前記第１および第２の誘電材料のブロックのそれぞれが、前記第１および第２の誘電材料のブロックが相互に結合されたときに前記金属化内部層を規定する金属化外層を有する、請求項１４に記載のフィルター。